(57)【要約】【課題】  同時に複数のコンセントを有する電源機器を使用した場合でも、使用中以外の電気機器のプラグのみを確実に電源から引き抜くことができるようにする。【解決手段】  電工ドラム（複数のコンセントを有する電源機器）１は、プラグ５に設けられて各コンセント３ａ〜３ｄに供給される電源が供給可能な表示灯６と、ドラム本体２に設けられて表示灯６に電源を供給するように切り替えるスイッチ７と、表示灯６とスイッチ７との間に接続された中間コード８とを有する。【選択図】  図１
2007149492.tif 000002
【特許請求の範囲】
【請求項１】
機器支持体に設けられた複数のコンセントと、前記機器支持体から引き出された延長コードの端部に設けられて電源に接続可能で、かつ前記各コンセントに共通に接続されるプラグとを有する複数のコンセントを有する電源機器であって、
前記プラグに設けられて前記各コンセントに供給される前記電源が供給可能な表示灯と、前記機器支持体に設けられて前記表示灯に前記電源を供給するように切り替えるスイッチと、前記表示灯と前記スイッチとの間に接続された中間コードとを有する、
ことを特徴とする複数のコンセントを有する電源機器。
【請求項２】
前記スイッチによって前記表示灯に前記電源が供給されるように切り替えられたとき、前記表示灯が点灯する、
ことを特徴とする請求項１に記載の複数のコンセントを有する電源機器。
【請求項３】
前記スイッチを前記機器支持体の表面に手動により操作可能に設ける、
ことを特徴とする請求項１または２に記載の複数のコンセントを有する電源機器。
【請求項４】
機器支持体に設けられた複数のコンセントと、前記機器支持体から引き出された延長コードの端部に設けられて電源に接続可能で、かつ前記各コンセントに共通に接続されるプラグとを有する複数のコンセントを有する電源機器であって、
前記プラグに設けられて前記各コンセントに供給される前記電源が供給可能な表示灯と、前記機器支持体に前記各コンセントに対応した数だけ設けられ、かつ前記各コンセントに外部のプラグが差し込まれたとき前記表示灯に前記電源を供給するように切り替えるスイッチと、前記表示灯と前記スイッチとの間に接続された中間コードとを有する、
ことを特徴とする複数のコンセントを有する電源機器。
【請求項５】
前記各コンセントのいずれか１つに前記外部のプラグが差し込まれたとき、この外部のプラグに対応した前記スイッチによって前記表示灯に前記電源が供給されるように切り替えられて、前記表示灯が点灯する、
ことを特徴とする請求項４に記載の複数のコンセントを有する電源機器。
【請求項６】
前記スイッチとしてプッシュ型スイッチを用いる、
ことを特徴とする請求項４または５に記載の複数のコンセントを有する電源機器。
【請求項７】
機器支持体に設けられた複数のコンセントと、前記機器支持体から引き出された延長コードの端部に設けられて電源に接続可能で、かつ前記各コンセントに共通に接続されるプラグとを有する複数のコンセントを有する電源機器の取外し可否の判断方法であって、
前記プラグに前記各コンセントに供給される前記電源が供給可能な表示灯を設けるとともに、前記機器支持体に中間コードを通じて前記表示灯に前記電源を供給するように切り替えるスイッチを設け、前記各コンセントのいずれにも外部のプラグが差し込まれないときは、前記スイッチによって前記表示灯に前記電源を供給するように切り替えて前記表示灯を点灯させ、この点灯を確認したときは前記プラグを前記電源から引き抜くように判断する、
ことを特徴とする複数のコンセントを有する電源機器の取外し可否の判断方法。
【請求項８】
機器支持体に設けられた複数のコンセントと、前記機器支持体から引き出された延長コードの端部に設けられて電源に接続可能で、かつ前記各コンセントに共通に接続されるプラグとを有する複数のコンセントを有する電源機器の取外し可否の判断方法であって、
前記プラグに前記各コンセントに供給される前記電源が供給可能な表示灯を設けるとともに、前記機器支持体に前記各コンセントに対応した数で、かつ前記各コンセントに外部のプラグが差し込まれたとき中間コードを通じて前記表示灯に前記電源を供給するように切り替えるスイッチを設け、前記各コンセントのいずれか１つに前記外部のプラグが差し込まれたときは、前記スイッチによって前記表示灯に前記電源を供給するように切り替えて前記表示灯を点灯させ、この点灯を確認したときは前記プラグを前記電源から引き抜かないように判断する、
ことを特徴とする複数のコンセントを有する電源機器の取外し可否の判断方法。
【発明の詳細な説明】
【技術分野】
【０００１】
本発明は、電気工事などの作業現場で電源確保のために用いられる電工ドラムのような複数のコンセントを有する電源機器とこの電源機器の取外し可否の判断方法とに関する。
【背景技術】
【０００２】
電気工事、建物の新築工事、屋外での保守管理作業などでは各種の電気機器が使用されるが、これらの作業現場が電源から離れている場合には、電源を確保するために電工ドラムが用いられる。電工ドラムは、ドラム本体に設けられた複数のコンセントと、ドラム本体から引き出された延長コードの端部に設けられ各コンセントに共通なプラグとを有している。この電工ドラムは、使用時以外は延長コードをドラム本体に巻き付けることにより、持ち運びが容易になっている。
【０００３】
ところで、大規模な電気工事などでは、多くの作業現場に電源を供給しなければならないので同時に多くの電工ドラムが使用される。そして、それぞれの電工ドラムは、プラグを電源に接続するとともに、各コンセントには各種の電気機器から引き出された多くの外部のプラグを差し込んだ状態で使用される。
【０００４】
このように作業現場で多くの電工ドラムを使用した場合には、各延長コードが長く引き回されて入り乱れた状態になるので、使用中の電工ドラムに対応したプラグを判別するのが困難となる。このため、作業が終了して使用が済んだ電工ドラムを撤去すべく、この電工ドラムを電源から取り外す場合、誤ってその電工ドラムのプラグではなく使用中の他の電工ドラムのプラグを引き抜いてしまうことがある。このような誤操作をした場合は、誤って引き抜いたそのプラグを改めて電源に接続しなければならないので、無駄な作業が必要になる。場合によっては、誤ってプラグを引き抜いたことで、その電工ドラムを使用していた作業に影響を及ぼすこともある。このため、電工ドラムを電源から取外す場合は、特別に注意を払って取外し可否を慎重に判断した上で使用中以外の電工ドラムのプラグのみを確実に電源から引く抜くことが望まれている。
【０００５】
このような実情から、プラグ部分に表示ランプを設けるようにした電源コードが提供されている。（例えば、特許文献１参照。）。この電源コードは、表示ランプを設けた電源差し込みプラグと、中間スイッチと、電気器具本体側差し込みプラグとを備えて、電源差し込みプラグを電源に差し込むとともに電気器具本体側差し込みプラグに家庭用電気器具を差し込んだときは、中間スイッチをオンすることによってその電気器具と表示ランプとに同時に通電させる。したがって、電気器具を使用したときは必ず表示ランプが点灯する。
【０００６】
このような構成の電源コードによれば、家庭用電気器具のうち、やぐらごたつや電気アンカなどのように使用中か否かを触ってみなければ容易に確認できないような電気器具の場合でも、電源差し込みプラグの表示ランプが点灯している場合は必ず電気器具が使用中であることを視覚的に確認することができるので、家庭用電気器具の消し忘れを防止することができる。
【特許文献１】特開平７−２８２９２７号公報
【発明の開示】
【発明が解決しようとする課題】
【０００７】
ところで、上記特許文献１に記載されているような電源コードでは、電気器具が接続されている電源コードは必ず表示ランプが点灯するので電気器具を使用中であることを確認できるが、表示ランプが点灯していない電源コードいわゆる使用中以外の電源コードは電源差し込みプラグを電源に差し込んだままにしておいても何ら問題がないので、必ずそのプラグを電源から引き抜く必要はない。すなわち、表示ランプが点灯していない電源コードは、電気器具本体側差し込みプラグに家庭用電気器具が差し込まれていないか、あるいはそのプラグに電気器具が差し込まれていたとしても中間スイッチがオフになっているかのいずれかであるが、いずれにしろプラグを電源に差し込んだままにしておいても電気器具は使用状態にないので、電気器具の消し忘れの心配はない。
【０００８】
一方、前述したように、多くの電工ドラムを使用する作業現場では、作業が終了して使用が済んだ電工ドラムは現場から撤去するために必ずそのプラグを電源から引き抜く必要がある。したがって、上記特許文献１の電源コードは、電工ドラムを同時に複数使用した場合に生じ易い誤操作によるプラグの引き抜きを防止する解決策にはならない。
【０００９】
そこで本発明は、同時に複数のコンセントを有する電源機器を使用した場合でも、使用中以外の複数のコンセントを有する電源機器のプラグのみを確実に電源から引き抜くことができる複数のコンセントを有する電源機器およびこの電源機器の取外し可否の判断方法を提供することを目的とする。
【課題を解決するための手段】
【００１０】
上記目的を達成するために請求項１に記載の本発明は、機器支持体に設けられた複数のコンセントと、前記機器支持体から引き出された延長コードの端部に設けられて電源に接続可能で、かつ前記各コンセントに共通に接続されるプラグとを有する複数のコンセントを有する電源機器であって、前記プラグに設けられて前記各コンセントに供給される前記電源が供給可能な表示灯と、前記機器支持体に設けられて前記表示灯に前記電源を供給するように切り替えるスイッチと、前記表示灯と前記スイッチとの間に接続された中間コードとを有することを特徴としている。
（作用）
機器支持体に設けられたスイッチはプラグから各コンセントに供給される電源を、中間コードを通じてプラグに設けられた表示灯に供給するように切り替える動作を行う。
【００１１】
請求項２に記載の本発明は、請求項１に記載の複数のコンセントを有する電源機器において、前記スイッチによって前記表示灯に前記電源が供給されるように切り替えられたとき、前記表示灯が点灯することを特徴としている。
（作用）
スイッチが中間コードを通じて電源を表示灯に供給するように切り替えると、表示灯が点灯する。  
【００１２】
請求項３に記載の本発明は、請求項１または２に記載の複数のコンセントを有する電源機器において、前記スイッチを前記機器支持体の表面に手動により操作可能に設けることを特徴としている。
（作用）
機器支持体の表面に設けたスイッチを操作することにより、スイッチの切り替え操作が簡単に行われる。
【００１３】
請求項４に記載の本発明は、機器支持体に設けられた複数のコンセントと、前記機器支持体から引き出された延長コードの端部に設けられて電源に接続可能で、かつ前記各コンセントに共通に接続されるプラグとを有する複数のコンセントを有する電源機器であって、前記プラグに設けられて前記各コンセントに供給される前記電源が供給可能な表示灯と、前記機器支持体に前記各コンセントに対応した数だけ設けられ、かつ前記各コンセントに外部のプラグが差し込まれたとき前記表示灯に前記電源を供給するように切り替えるスイッチと、前記表示灯と前記スイッチとの間に接続された中間コードとを有することを特徴としている。
（作用）
機器支持体に設けられた各コンセントに外部のプラグが差し込まれたときは、機器支持体に設けられたスイッチがプラグから各コンセントに供給される電源を、中間コードを通じてプラグに設けられた表示灯に供給するように切り替える動作を行う。
【００１４】
請求項５に記載の本発明は、請求項４に記載の複数のコンセントを有する電源機器において、前記各コンセントのいずれか１つに前記外部のプラグが差し込まれたとき、この外部のプラグに対応した前記スイッチによって前記表示灯に前記電源が供給されるように切り替えられて前記表示灯が点灯することを特徴としている。
（作用）
各コンセントのいずれか１つに外部のプラグが差し込まれると、この外部のプラグに対応したスイッチが中間コードを通じて電源を表示灯に供給するように切り替えるので、表示灯が点灯する。
【００１５】
請求項６に記載の本発明は、請求項４または５に記載の複数のコンセントを有する電源機器において、スイッチとしてプッシュ型スイッチを用いることを特徴としている。
（作用）
スイッチとしてプッシュ型スイッチを用いることにより、スイッチは押されている間だけオンするのでその間だけ電源が表示灯に供給される。
【００１６】
請求項７に記載の本発明は、機器支持体に設けられた複数のコンセントと、前記機器支持体から引き出された延長コードの端部に設けられて電源に接続可能で、かつ前記各コンセントに共通に接続されるプラグとを有する複数のコンセントを有する電源機器の取外し可否の判断方法であって、前記プラグに前記各コンセントに供給される前記電源が供給可能な表示灯を設けるとともに、前記機器支持体に中間コードを通じて前記表示灯に前記電源を供給するように切り替えるスイッチを設け、前記各コンセントのいずれにも外部のプラグが差し込まれないときは、前記スイッチによって前記表示灯に前記電源を供給するように切り替えて前記表示灯を点灯させ、この点灯を確認したときは前記プラグを前記電源から引き抜くように判断することを特徴としている。
（作用）
各コンセントのいずれにも外部のプラグが差し込まれないときは、スイッチによって表示灯に電源を供給することにより表示灯を点灯させる。そして、表示灯が点灯したときは
複数のコンセントを有する電源機器が使用中以外であると判断してそのプラグを電源から引き抜くようにする。
【００１７】
請求項８に記載の本発明は、機器支持体に設けられた複数のコンセントと、前記機器支持体から引き出された延長コードの端部に設けられて電源に接続可能で、かつ前記各コンセントに共通に接続されるプラグとを有する複数のコンセントを有する電源機器の取外し可否の判断方法であって、前記プラグに前記各コンセントに供給される前記電源が供給可能な表示灯を設けるとともに、前記機器支持体に前記各コンセントに対応した数で、かつ前記各コンセントに外部のプラグが差し込まれたとき中間コードを通じて前記表示灯に前記電源を供給するように切り替えるスイッチを設け、前記各コンセントのいずれか１つに前記外部のプラグが差し込まれたときは、前記スイッチによって前記表示灯に前記電源を供給するように切り替えて前記表示灯を点灯させ、この点灯を確認したときは前記プラグを前記電源から引き抜かないように判断することを特徴としている。  
（作用）
各コンセントのいずれか１つに外部のプラグが差し込まれたときには、スイッチによって表示灯に電源を供給することにより表示灯を点灯させる。そして、表示灯が点灯したときは複数のコンセントを有する電源機器が使用中であると判断してそのプラグを電源から引き抜かないようにする。
【発明の効果】
【００１８】
請求項１に記載の発明によれば、複数のコンセントを有する機器支持体から引き出された延長コードの端部のプラグに設けられて各コンセントに供給される電源が供給可能な表示灯と、機器支持体に設けられて表示灯に電源を供給するように切り替えるスイッチと、表示灯とスイッチとの間に接続された中間コードとにより複数のコンセントを有する電源機器を構成するようにしたので、各コンセントのいずれにも外部のプラグが差し込まれないときは、スイッチによって表示灯に電源を供給することにより表示灯を点灯させる。これにより、プラグに設けられた表示灯の点灯を確認することで、表示灯が点灯しているときはこのプラグに対応した複数のコンセントを有する電源機器は使用中以外であるとして、そのプラグを電源から引き抜いてよいと判断することができる。また、その電気機器を使用する場合には、スイッチを切り替えて点灯している表示灯を消灯させて各コンセント側に電源を供給する必要があるので、スイッチの戻し忘れを防止することができる。また、上述の場合と逆に、表示灯が点灯していないときはこのプラグに対応した複数のコンセントを有する電源機器は使用中であるとして、そのプラグを電源から引き抜いてはならないと判断することができる。したがって、同時に複数の複数のコンセントを有する電源機器を使用した場合でも、使用中以外の複数のコンセントを有する電源機器のプラグのみを確実に電源から引き抜くことができる。
【００１９】
請求項４に記載の発明によれば、複数のコンセントを有する機器支持体から引き出された延長コードの端部のプラグに設けられて各コンセントに供給される電源が供給可能な表示灯と、機器支持体に各コンセントに対応した数だけ設けられ、かつ各コンセントに外部のプラグが差し込まれたとき表示灯に電源を供給するように切り替えるスイッチと、表示灯とスイッチとの間に接続された中間コードとにより複数のコンセントを有する電源機器を構成するようにしたので、各コンセントのいずれか１つに外部のプラグが差し込まれたときは、スイッチによって表示灯に電源を供給することにより表示灯を点灯させる。これにより、プラグに設けられた表示灯の点灯を確認することで、表示灯が点灯しているときはこのプラグに対応した複数のコンセントを有する電源機器は使用中であるとして、そのプラグを電源から引き抜いてはならないと判断することができる。逆に、表示灯が点灯していないときはこのプラグに対応した複数のコンセントを有する電源機器は使用中以外であるとして、そのプラグを電源から引き抜いてよいと判断することができる。したがって、同時に複数の複数のコンセントを有する電源機器を使用した場合でも、使用中以外の複数のコンセントを有する電源機器のプラグのみを確実に電源から引き抜くことができる。
【００２０】
請求項７に記載の本発明によれば、上述のような複数のコンセントを有する電源機器を用いて電源からの取外し可否の判断を行うので、プラグに設けた表示灯の点灯を確認するだけで、特別の注意を払うこともなく簡単にそのプラグの電源からの引き抜きの可否を判断することができる。
【発明を実施するための最良の形態】
【００２１】
以下、本発明を図示の実施形態に基づいて説明する。
【００２２】
（実施の形態１）
図１は、本発明の実施形態１に係る電工ドラム（複数のコンセントを有する電源機器）１の外観を示す概略斜視図である。この電工ドラム１は、ドラム本体２に設けられた複数のコンセント３ａ〜３ｄと、ドラム本体２から引き出された延長コード４の端部に設けられて電源に接続可能で、かつ各コンセント３ａ〜３ｄに共通に接続されるプラグ５とを有している。さらに、この電工ドラム１は、図２の結線図にも示すように、プラグ５に設けられて各コンセント３ａ〜３ｄに供給される電源が供給可能な表示灯６と、ドラム本体２に設けられて表示灯６に電源を供給するように切り替えるスイッチ７と、表示灯６とスイッチ７との間に接続された中間コード８とを有している。
【００２３】
表示灯６は一方側の端子が電源の一方側のラインＬ１に接続されるとともに、他方側の端子がスイッチ７を介して電源の他方側のラインＬ２に接続されている。スイッチ７は電源ラインＬ２に接続されて、予め中立状態にあるその接片７Ａを表示灯６に接続された表示側の端子６Ａまたは各コンセント３ａ〜３ｄに共通に接続された常時側の端子３Ａに切り替えることにより、電源ラインＬ２に表示灯６をまたは各コンセント３ａ〜３ｄを接続するような切替動作を行う。ここで常時側とは各コンセント３ａ〜３ｄに共通に接続される電源ラインＬ２の側を示し、電工ドラム１の使用中に選択される側を示している。スイッチ７を、図１に示すように、ドラム本体２の表面に設けることで、手動により操作可能となる。中間コード８は延長コード４に一体に組み込むことが可能である。
【００２４】
各コンセント３ａ〜３ｄにはそれぞれ電源ラインＬ１、Ｌ２間に各表示灯９ａ〜９ｄが接続されて、スイッチ７が常時側に切り替えられたときは常時点灯している。これにより、外部のプラグである必要な電気機器のプラグを各コンセント３ａ〜３ｄに差し込み可能であることを確認することができる。
【００２５】
次に、本電工ドラム１の動作について説明する。  
【００２６】
図３（ａ）、（ｂ）は、本電工ドラム１のスイッチ７の操作方法を示す概略図、図４（ａ）、（ｂ）はスイッチ７の動作を示す概略図である。まず、電工ドラム１を使用する場合は、図３（ａ）に示すように、スイッチ７を手動により常時側に切り替えると、スイッチ７は、図４（ａ）に示すように、その接片７Ａが各コンセント３ａ〜３ｄに共通に接続された常時側の端子３Ａに接続される。
【００２７】
これにより、各コンセント３ａ〜３ｄは電源ラインＬ１、Ｌ２間に接続されるので、電源が供給されて、必要な電気機器のプラグを各コンセント３ａ〜３ｄに差し込むことが可能となる。同時に、各コンセント３ａ〜３ｄにそれぞれ接続されている各表示灯９ａ〜９ｄが点灯するので、この点灯を確認することにより、必要な電気機器のプラグを各コンセント３ａ〜３ｄに差し込むことが可能であることを確実に確認することができる。
【００２８】
このように、スイッチ７を常時側に切り替えたときは、プラグ５の表示灯６はこの他方側の端子が電源ラインＬ２に接続されないので、オープン状態になっているため点灯しない。
【００２９】
次に、本電工ドラム１を使用した作業が終了した場合には、図３（ｂ）に示すように、スイッチ７を手動により表示側に切り替えると、スイッチ７は、図４（ｂ）に示すように、その接片７Ａがプラグ５の表示灯６に接続された表示側の端子６Ａに接続される。
【００３０】
これにより、表示灯６は電源ラインＬ１、Ｌ２間に接続されるので、電源が供給されて点灯する。したがって、プラグ５の表示灯６の点灯を確認することにより、この電工ドラム１は使用中以外であるとして、そのプラグ５を電源から引き抜いてよいと判断することができる。
【００３１】
このように、スイッチ７を表示側に切り替えたときは、各コンセント３ａ〜３ｄに共通に接続された常時側の端子３Ａが電源ラインＬ２に接続されないので、各コンセント３ａ〜３ｄには電源が供給されない。したがって、この状態では各コンセント３ａ〜３ｄに必要な電気機器のプラグを差し込んだとしてもその電気機器は作動しない。
【００３２】
以上のように、本電工ドラム１によれば、プラグ５に設けられて各コンセント３ａ〜３ｄに供給される電源が供給可能な表示灯６と、ドラム本体２に設けられて表示灯６に電源を供給するように切り替えるスイッチ７と、表示灯６とスイッチ７との間に接続された中間コード８とにより電工ドラム１を構成するようにしたので、各コンセント３ａ〜３ｄのいずれにも外部のプラグが差し込まれない使用中以外の場合は、スイッチ７を表示側に切り替えて表示灯６を点灯させてこの点灯を確認することにより、同時に複数の電工ドラムを使用した場合でも、使用中以外の電工ドラムのプラグのみを確実に電源から引き抜くことができる。
【００３３】
したがって、作業が終了して使用が済んだ電工ドラムを撤去するために電源から取り外す場合でも、従来のように誤って使用中の他の電工ドラムのプラグを引き抜いてしまうことがなくなるので、誤って引き抜いたそのプラグを改めて電源に接続し直すような無駄な作業が不要になり、作業効率を向上することができる。さらに、誤ってプラグを引き抜いたことでその電工ドラムを使用していた作業に影響を及ぼすこともなくなる。
【００３４】
また、本電工ドラム１を使用する場合には、スイッチ７を切り替えて点灯している表示灯６を消灯させて各コンセント３ａ〜３ｄ側に電源を供給する必要があるので、スイッチ７の戻し忘れを防止することができる。
【００３５】
また、本電工ドラム１は、通常の構成に追加して表示灯６、スイッチ７および中間コード８を設けるだけでよく、いずれの部品も安価なので、特にコストアップを伴うことなく実現することができる。
【００３６】
また、本電工ドラム１を用いた電工ドラムの取外し可否の判断方法によれば、プラグ５に設けた表示灯６の点灯を確認するだけで、特別の注意を払うこともなく簡単にそのプラグ５の電源からの引き抜きの可否を判断することができる。
【００３７】
（実施の形態２）
図５は、本発明の実施形態２に係る電工ドラム１１の外観を示す概略斜視図である。この実施形態２に係る電工ドラム１１は、実施形態１に係る電工ドラム１の構成とは逆に、プラグに設けた表示灯を点灯させた場合は電源から取り外してはならないと判断するようにした構成になっている。
【００３８】
この電工ドラム１１は、ドラム本体１２に設けられた複数のコンセント１３ａ〜１３ｄと、ドラム本体１２から引き出された延長コード１４の端部に設けられて電源に接続可能で、かつ各コンセント１３ａ〜１３ｄに共通に接続されるプラグ１５とを有している。さらに、この電工ドラム１１は、図６の結線図にも示すように、プラグ１５に設けられて各コンセント１３ａ〜１３ｄに供給される電源が供給可能な表示灯１６と、ドラム本体１２に各コンセント１３ａ〜１３ｄに対応した数だけ設けられ、かつ各コンセント１３ａ〜１３ｄに外部のプラグが差し込まれたとき表示灯１６に電源を供給するように切り替える各スイッチ１７ａ〜１７ｄと、表示灯１６と各スイッチ１７ａ〜１７ｄとの間に接続された中間コード１８とを有している。各スイッチ１７ａ〜１７ｄとしては、操作釦が押されたときのみオンするように作用する例えばプッシュ型スイッチを用いる。
【００３９】
表示灯１６は一方側の端子が電源の一方側のラインＬ１に接続されるとともに、他方側の端子が各スイッチ１７ａ〜１７ｄを介して電源の他方側のラインＬ２に接続される。
【００４０】
各スイッチ１７ａ〜１７ｄは、その操作釦１７Ａ〜１７Ｄを押した間は各接片１７Ｅ〜１７Ｈがそれぞれ端子１６Ａと１３Ａ、端子１６Ｂと１３Ｂ、端子１６Ｃと１３Ｃ、端子１６Ｄと１３Ｄとを短絡することによりオンするので、表示灯１６の他方の端子を電源ラインＬ２に接続する。一方、各スイッチ１７ａ〜１７ｄは、その操作釦１７Ａ〜１７Ｄが押されない間は各接片１７Ｅ〜１７Ｈが元の位置に戻るのでオフして、表示灯１６の他方の端子は電源ラインＬ２に接続されない。したがって、各スイッチ１７ａ〜１７ｄによって表示灯１６に供給される電源が切り替えられる。
【００４１】
本電工ドラム１１の構成では各スイッチ１７ａ〜１７ｄのオン、オフ操作に関係なく、各コンセント１３ａ〜１３ｄには常時電源が供給されるので常時外部のプラグの差し込みが可能になっている。なお、図示を省略しているが、各コンセント１３ａ〜１３ｄには、実施形態１の構成と同様に各表示灯９ａ〜９ｄに相当した表示灯が接続されて常時点灯しているので、常時外部のプラグを各コンセント１３ａ〜１３ｄに差し込み可能であることを確認することができる。
【００４２】
次に、本電工ドラム１１の動作について説明する。  
【００４３】
図７は、本電工ドラム１１の各スイッチ１７ａ〜１７ｄの操作方法を示す概略図、図８（ａ）、（ｂ）は各スイッチ１７ａ〜１７ｄの動作を示す概略図である。まず、電工ドラム１１を使用する場合は、本電工ドラム１１は各スイッチ１７ａ〜１７ｄのオン、オフの操作に関係なく、各コンセント１３ａ〜１３ｄには常時電源が供給されているので、常時外部のプラグである必要な電気機器のプラグを各コンセント１３ａ〜１３ｄに差し込むことが可能となっている。まず、各コンセント１３ａ〜１３ｄに外部のプラグが差し込まれない場合は、各スイッチ１７ａ〜１７ｄの動作は図８（ａ）に示すようになり、その操作釦例えば１７Ａが押されないので接片１７Ｅは端子１６Ａおよび１３Ａに接触しない。したがって、プラグ１５に設けられた表示灯１６には電源が供給されないので、点灯しない。
【００４４】
次に、図７に示すように、各コンセント１３ａ〜１３ｄのいずれか１つに、例えばコンセント１３ａに必要な電気器具のプラグ１０を差し込んで本電工ドラム１１の使用を開始すると、コンセント１３ａに対応したスイッチ１７ａの動作は図８（ｂ）に示すようになり、その操作釦１７Ａがプラグ１０によって押されるので、接片１７Ｅは端子１６Ａと１３Ａに接触して、両端子１６Ａ、１３Ａ間を短絡させてオンする。これにより、表示灯１６は電源ラインＬ１、Ｌ２間に接続されるので、電源が供給されて点灯する。したがって、プラグ１５の表示灯１６の点灯を確認することにより、この電工ドラム１は現在使用中であるとして、そのプラグ１５を電源から引き抜いてはならないと判断することができる。
【００４５】
以上のように、本電工ドラム１１によれば、プラグ１５に設けられて各コンセント１３ａ〜１３ｄに供給される電源が供給可能な表示灯１６と、ドラム本体２に各コンセント１３ａ〜１３ｄに対応した数だけ設けられ、かつ各コンセント１３ａ〜１３ｄに外部のプラグが差し込まれたとき表示灯１６に電源を供給するように切り替える各スイッチ１７ａ〜１７ｄと、表示灯１６と各スイッチ１７ａ〜１７ｄとの間に接続された中間コード１８と
により電工ドラム１１を構成するようにしたので、各コンセント１３ａ〜１３ｄのいずれか１つに外部のプラグが差し込まれた場合は、各スイッチ１７ａ〜１７ｄによって表示灯１６に電源を供給するように切り替えて表示灯１６を点灯させてこの点灯を確認することにより、同時に複数の電工ドラムを使用した場合に、使用中の電工ドラムのプラグを確実に電源から引き抜かないようにすることができる。
【００４６】
これ以外は、実施形態１の電工ドラム１と略同様に構成することができる。
【００４７】
各実施形態１，２では、電工ドラム１，１１を例に説明したが、本発明は電工ドラムに限らずに複数のコンセントを有する電源機器であれば、マルチタップコードのようなパソコンの電源コードを延長して使用したいような場合に用いられる他の電源機器にも適用することができる。
【００４８】
また、実施形態１に係る電工ドラム１では、使用中以外の電工ドラムのプラグの表示灯６を点灯させるようにしたが、この表示灯６を消灯させるようにすることもできる。すなわち、使用中以外の電工ドラム１のプラグ５の表示灯６を消灯させることでそのプラグ５を電源から引き抜く目安にすることもできる。この場合は、スイッチ７によって表示灯６に電源を供給するように切り替えたとき、表示灯６に反転回路を介して電気信号を供給することにより、表示灯６を点灯しないように制御することが可能である。
【００４９】
また、実施形態２に係る電工ドラム１１では、ドラム本体１２に設けた各コンセント１
３ａ〜１３ｄのいずれか１つに外部のプラグ１０を差し込んだときに各スイッチ１７ａ〜１７ｄをオンして使用中の電工ドラム１１のプラグ５の表示灯１６を点灯させるようにしたが、この表示灯１６を消灯させるようにすることもできる。すなわち、使用中の電工ドラム１１のプラグ１５の表示灯１６を消灯させることでそのプラグ１５を電源から引き抜いてはならない目安にすることもできる。この場合は、上述の実施形態１の場合と同様に各スイッチ１７ａ〜１７ｄによって表示灯１６に電源を供給するように切り替えたとき、表示灯１６に反転回路を介して電気信号を供給することにより、表示灯１６を点灯しないように制御することが可能である。
【００５０】
また、各実施形態１，２の電工ドラム１，１１では、ドラム本体に４個のコンセントを設けた例で示したが、コンセントの数は必要に応じて適宜増減することができる。
【図面の簡単な説明】
【００５１】
【図１】本発明の実施形態１に係る電工ドラムの外観を示す概略斜視図。
【図２】本発明の実施形態１に係る電工ドラムを示す結線図。
【図３】本発明の実施形態１に係る電工ドラムの操作方法を示す概略図。
【図４】本発明の実施形態１に係る電工ドラムのスイッチの動作を示す概略図。
【図５】本発明の実施形態２に係る電工ドラムの外観を示す概略斜視図。
【図６】本発明の実施形態２に係る電工ドラムを示す結線図。
【図７】本発明の実施形態２に係る電工ドラムのスイッチの使用方法を示す概略図。
【図８】本発明の実施形態２に係る電工ドラムのスイッチの動作を示す概略図。
【符号の説明】
【００５２】
１，１１          電工ドラム（複数のコンセントを有する電源機器）
２，１２          ドラム本体（機器支持体）
３ａ〜３ｄ        コンセント
３Ａ              端子
４，１４          延長コード
５，１５          プラグ
６，１６          プラグの表示灯
６Ａ              端子
７                スイッチ
７Ａ              接片
８，１８          中間コード
９ａ〜９ｄ        コンセントの表示灯
１０              外部のプラグ
１３ａ〜１３ｄ    コンセント
１３Ａ〜１３Ｄ    端子
１６Ａ〜１６Ｄ    端子
１７ａ〜１７ｄ    スイッチ
１７Ａ〜１７Ｄ    操作釦
１７Ｅ〜１７Ｈ    接片
Ｌ１、Ｌ２        電源ライン
【図１】
2007149492.tif 000003
【図２】
2007149492.tif 000004
【図３】
2007149492.tif 000005
【図４】
2007149492.tif 000006
【図５】
2007149492.tif 000007
【図６】
2007149492.tif 000008
【図７】
2007149492.tif 000009
【図８】
2007149492.tif 000010